(57)【要約】【課題】空気抵抗を低減でき、姿勢及び動作をサポートし、運動機能、詳細には運動器の機能を向上させ、流体中での移動を促進するスポーツ用ウェアを提供する。【解決手段】本発明のスポーツ用ウェアは、伸縮性生地で構成され、身体にほぼ密着した状態で着用されるスポーツ用ウェアであって、強緊締部Ａと弱緊締部とが連続している部分を含み、強緊締部Ａはベース生地となる伸縮性生地の上に樹脂を介在させて伸縮性生地を重ねて接着しており、強緊締部Ａと連続している弱緊締部は前記ベース生地となる伸縮性生地である。【選択図】図１１
2013213306.tif 000002
【特許請求の範囲】
【請求項１】
伸縮性生地で構成され、身体にほぼ密着した状態で着用されるスポーツ用ウェアであって、
前記スポーツ用ウェアは、強緊締部Ａと弱緊締部とが連続している部分を含み、
強緊締部Ａはベース生地となる伸縮性生地の上に樹脂を介在させて伸縮性生地を重ねて接着しており、強緊締部Ａと連続している弱緊締部は前記ベース生地となる伸縮性生地であることを特徴とするスポーツ用ウェア。
【請求項２】
強緊締部Ａは、脊柱と僧帽筋部の肩後方部を覆う領域に配置されている請求項１に記載のスポーツ用ウェア。
【請求項３】
強緊締部Ａは、大腿部の腸脛靱帯を覆う領域に配置されている請求項１又は２に記載のスポーツ用ウェア。
【請求項４】
強緊締部Ａは、頭頂部から後頭部までを覆う領域に配置されている請求項１〜３のいずれか１項に記載のスポーツ用ウェア。
【請求項５】
強緊締部Ａは、下腿部前部を覆う領域に配置されている請求項１〜４のいずれか１項に記載のスポーツ用ウェア。
【請求項６】
強緊締部Ａは、さらに臀部の大殿筋、大腿部の半腱様筋、半膜様筋及び大腿二頭筋を覆う領域にも配置されている請求項１〜５のいずれか1項に記載のスポーツ用ウェア。
【請求項７】
強緊締部Ａの全て又は一部において樹脂はドット模様で配置されている請求項１〜６のいずれか１項に記載のスポーツ用ウェア。
【請求項８】
強緊締部Ａの全て又は一部において樹脂はストライプ模様で配置されている請求項１〜６のいずれか１項に記載のスポーツ用ウェア。
【請求項９】
強緊締部Ａを幅方向２５％、長さ方向２５％伸ばした時、強緊締部Ａのベース生地表面の凹凸差は０．１〜１ｍｍである請求項１〜８のいずれか1項に記載のスポーツ用ウェア。
【請求項１０】
強緊締部Ａにおいて樹脂の面積は、伸縮性生地面積に対して１０〜７０％である請求項１〜９のいずれか１項に記載のスポーツ用ウェア。
【請求項１１】
強緊締部Ａは、樹脂面積が異なる部分を含む請求項１〜１０のいずれか１項に記載のスポーツ用ウェア。
【請求項１２】
前記樹脂は、ポリウレタン樹脂である請求項１〜１１のいずれか１項に記載のスポーツ用ウェア。
【請求項１３】
前記スポーツ用ウェアは、さらに、強緊締部Ｂを有し、
強緊締部Ｂは、伸縮性生地に樹脂製シートを接着しており、
強緊締部Ｂは、大腿直筋を覆う領域に配置されている請求項１〜１２のいずれか１項に記載のスポーツ用ウェア。
【請求項１４】
前記スポーツ用ウェアは、さらに、強緊締部Ｃを有し、
強緊締部Ｃは、伸縮性生地に樹脂製シートを接着しており、
強緊締部Ｃは、前額部を覆う領域と、大胸筋、腹直筋及び外腹斜筋を覆う領域と、上腕二頭筋の長頭を覆う領域と、手首から手の甲の一部と掌の一部を通り親指の付け根までを覆う領域に配置されている請求項１〜１３のいずれか１項に記載のスポーツ用ウェア。
【請求項１５】
前記伸縮性生地は、経方向と緯方向の二方向に伸縮する生地であり、ポリエステル繊維糸と弾性糸を合計で８０質量％以上含むか、又はナイロン繊維糸と弾性糸を合計で８０質量％以上含む請求項１〜１４のいずれか１項に記載のスポーツ用ウェア。
【請求項１６】
前記弾性糸は、ポリウレタン系弾性糸及びポリエステル系弾性糸からなる群から選ばれる少なくとも一種である請求項１５に記載のスポーツ用ウェア。
【発明の詳細な説明】
【技術分野】
【０００１】
本発明は、スポーツを行う時に着用されるスポーツ用ウェアに関するものであり、詳細には空気抵抗を低減できるスポーツ用ウェアに関するものである。
【背景技術】
【０００２】
従来より、スポーツを行う時の姿勢を矯正し、運動機能、具体的には運動器の機能を補助するため、部分的に生地にテンション差をつけたスポーツ用ウェアが提案されている。運動器とは、身体運動に関わる骨、筋肉、関節、神経などの総称で、身体を構成し、支え、身体運動を可能にする器官である。例えば、特許文献１には、袖ぐり回り及び後身頃上部に貼り合せ生地を裏打ちして緊締部を形成することにより、姿勢を矯正できるアンダーシャツが開示されている。また、特許文献２には、前身頃及び後身頃にそれぞれパワーネット帯を縫合したことにより、上半身の姿勢を矯正できるアンダーウェアが開示されている。
【０００３】
しかし、従来の動作サポート用スポーツ用ウェアは、縫い目が多いので、一部の縫い目は空気抵抗低減に寄与するが、大半の縫い目は空気抵抗を増大させるという問題があった。
【先行技術文献】
【特許文献】
【０００４】
【特許文献１】特開２００５−２４８３９１号公報
【特許文献２】実用新案登録第３１４７４０９号公報
【発明の概要】
【発明が解決しようとする課題】
【０００５】
本発明は、上記従来の問題を解決するため、空気抵抗を低減でき、姿勢及び動作をサポートし、運動機能、詳細には運動器の機能を向上させ、流体中での移動を促進するスポーツ用ウェアを提供する。
【課題を解決するための手段】
【０００６】
本発明のスポーツ用ウェアは、伸縮性生地で構成され、身体にほぼ密着した状態で着用されるスポーツ用ウェアであって、上記スポーツ用ウェアは、強緊締部Ａと弱緊締部とが連続している部分を含み、強緊締部Ａはベース生地となる伸縮性生地の上に樹脂を介在させて伸縮性生地を重ねて接着しており、強緊締部Ａと連続している弱緊締部は上記ベース生地となる伸縮性生地であることを特徴とする。
【発明の効果】
【０００７】
本発明においては、ベース生地となる伸縮性生地（以下において、表生地とも記す。）の上に樹脂を介在させて伸縮性生地（以下において、裏生地とも記す。）を重ねて接着した強緊締素材で構成した強緊締部Ａとベース生地となる伸縮性生地で構成した弱緊締部が連続していることにより、縫い目を削減し、空気抵抗を低減できるスポーツ用ウェアを提供できる。すなわち樹脂を表生地と裏生地との間に部分的に介在させ、生地にテンションの差をつけることで、従来のような色々なテンションの生地を縫い合わせることが少なくなり、縫い目を削減し、空気抵抗を低減することができる。また、本発明のスポーツ用ウェアは、強緊締部により姿勢及び動作をサポートすることができる。本発明のスポーツ用ウェアによると、空気抵抗を低減でき、姿勢及び動作をサポートし、運動機能、詳細には運動器の機能を向上させ、流体中での移動を促進することができる。また、本発明のスポーツ用ウェアを着用すると、生地が伸長することで、表生地と裏生地との間に介在させた樹脂が表生地表面に浮き出て表生地表面が粗面になり空気抵抗の低減に寄与できる。さらに、本発明のスポーツ用ウェアは縫い目が少ないので、縫製工程が簡略化でき、それに伴って電力消費量も削減できる。また、本発明のスポーツ用ウェアは、強緊締部により姿勢及び動作をサポートすることができ、
【図面の簡単な説明】
【０００８】
【図１】図１は、本発明の一実施例におけるスポーツ用ウェアの正面図である。
【図２】図２は、図１のスポーツ用ウェアの背面図である。
【図３】図３は、図１のスポーツ用ウェアの右身展開図である。
【図４】図４は、従来のスポーツ用ウェアの正面図である。
【図５】図５は、図４のスポーツ用ウェアの背面図である。
【図６】図６は、風洞実験Iの結果を示すグラフである。
【図７】図７は、風洞実験Iを説明する斜視図である。
【図８】図８は、空気の流れを説明する模式図である。
【図９】図９は、本発明で用いる強緊締素材における樹脂の塗布パターンの一例の説明図である。
【図１０】図１０は、本発明で用いる強緊締素材における樹脂の塗布パターンの他の一例の説明図である。
【図１１】図１１Ａは、本発明における強緊締部Ａと弱緊締部とが連続している部分の模式的断面図であり、図１１Ｂは、本発明における他の一の強緊締部Ａと弱緊締部とが連続している部分の模式的断面図である。
【図１２】図１２Ａは、実施例３の左脚用タイツの正面図であり、図１２Ｂは、同左脚用タイツの背面図である。
【図１３】図１３Ａは、比較例２の左脚用タイツの正面図であり、図１３Ｂは、同左脚用タイツの背面図である。
【図１４】図１４は、風洞実験IIを説明する斜視図である。
【図１５】図１５は、風洞実験IIの結果を示すグラフである。
【発明を実施するための形態】
【０００９】
本発明者らは、表生地と裏生地の間に部分的に樹脂を介在させることで生地にテンションの差を付けて、強緊締部により姿勢及び動作をサポートできるとともに、縫い目を削減して空気抵抗を低減でき、流体中での移動を促進することを見出し、本発明に至った。
【００１０】
本発明において、「ほぼ密着」の状態を作るには、人体の裸のサイズに対して、周囲方向は５０〜１１０％、より好ましくは７０〜９５％、丈は７５〜１００％、より好ましくは８５〜１００％としてスポーツ用ウェアを形成する。もちろん人体のサイズは個人差があるので、前記の比率は目安である。より具体的には、ＪＡＳＰＯ規格に従ってサイズを決める。
【００１１】
また、本発明において、「伸縮性生地」とは、伸縮性を有する生地をいい、伸縮性を有するとは、スポーツ用ウェアを構成する生地の身体の長軸方向における伸長率（以下において、単に縦伸長率と記す。）及び／又は身体の短軸方向における伸長率（以下において、単に横伸長率と記す。）が０％を超えることを意味する。
【００１２】
本発明において、伸長率とは、テンシロン万能型引張試験機（ＵＴＭ−III−２００、東洋ボールドウイン社製）を用い、引張強度を２０ｃｍ／分とし、つかみ間隔を２０ｃｍとし、所定の荷重下で測定したものをいう。
【００１３】
本発明のスポーツ用ウェアは、強緊締部Ａと弱緊締部とが連続している部分を含み、強緊締部Ａはベース生地となる伸縮性生地の上に樹脂を介在させて伸縮性生地を重ねて接着しており、強緊締部Ａと連続している弱緊締部は上記ベース生地となる伸縮性生地である。図１１Ａ〜Ｂのように、ベース生地となる伸縮性生地５０１の所定の部分に樹脂５０２を介在させ（塗布し）、樹脂５０２を介在させた部分にはさらに伸縮性生地５０３を重ねて接着することで強緊締部５０４を形成し、樹脂が塗布されていない伸縮性生地５０１（ベース生地）の部分は弱緊締部５０５を形成することで、強緊締部Ａと弱緊締部は連続する。
【００１４】
空気抵抗（流体抵抗）を受けるスピード系競技において、競技者が受ける抵抗の一つとしては、表面摩擦抵抗がある。
【００１５】
表面摩擦抵抗としては、衣服の生地表面の大きな凹凸や多くの縫着線による抵抗が考えられるが、本発明のスポーツ用ウェアは、伸縮性生地の間に樹脂が介在されて強緊締部Ａと弱緊締部とが連続しており、表面は平滑であるため、表面摩擦抵抗を削減できる。
【００１６】
本発明のスポーツ用ウェアは、上半身に着用するシャツタイプのスポーツ用ウェアであってもよく、下半身に着用するタイツタイプのスポーツ用ウェアであってもよく、全身に着用する全身スーツタイプのスポーツ用ウェアであってもよい。
【００１７】
本発明のスポーツ用ウェアが、シャツタイプのスポーツ用ウェアの場合、強緊締部Ａは、脊柱と僧帽筋部の肩後方部を覆う領域に配置されている（以下において、強緊締部Ａ１とも記す。）ことが好ましい。また、強緊締部Ａは、頭頂部から後頭部まで覆う領域にも配置されている（以下において、強緊締部Ａ２とも記す。）ことが好ましい。これらの領域は、スピード系競技中に身体が前傾した際、主に空気抵抗を受ける箇所であり、これらの領域に伸縮性生地の間に樹脂が介在されている強緊締部Ａと、強緊締部Ａと連続している弱緊締部を配置することにより、空気抵抗（表面摩擦抵抗）を増大させる縫い目を削減し、空気抵抗を低減できる。
【００１８】
本発明のスポーツ用ウェアが、タイツタイプのスポーツ用ウェアの場合、強緊締部Ａは、大腿部の腸脛靱帯を覆う領域に配置されている（以下において、強緊締部Ａ３とも記す。）ことが好ましい。また、強緊締部Ａは、下腿部前部を覆う領域にも配置されている（以下において、強緊締部Ａ４とも記す。）ことが好ましい。これらの領域は、スピード系競技中に身体が前傾した際、主に空気抵抗を受ける箇所であり、これらの領域に伸縮性生地の間に樹脂が介在されている強緊締部Ａと、強緊締部Ａと連続している弱緊締部を配置することにより、空気抵抗（表面摩擦抵抗）を増大させる縫い目を削減し、空気抵抗を低減できる。
【００１９】
本発明のスポーツ用ウェアが、全身スーツタイプのスポーツ用ウェアの場合、強緊締部Ａは、脊柱と僧帽筋部の肩後方部を覆う領域に配置されている（強緊締部Ａ１）ことが好ましい。また、強緊締部Ａは、頭頂部から後頭部まで覆う領域にも配置されている（強緊締部Ａ２）ことが好ましい。また、強緊締部Ａは、大腿部の腸脛靱帯を覆う領域にも配置されている（強緊締部Ａ３）ことが好ましい。また、強緊締部Ａは、下腿部前部を覆う領域にも配置されている（強緊締部Ａ４）ことが好ましい。これらの領域は、スピード系競技中に身体が前傾した際、主に空気抵抗を受ける箇所であり、これらの領域に伸縮性生地の間に樹脂が介在されている強緊締部Ａと、強緊締部Ａと連続している弱緊締部を配置することにより、空気抵抗（表面摩擦抵抗）を増大させる縫い目を削減し、空気抵抗を低減できる。
【００２０】
空気抵抗（流体抵抗）を受けるスピード系競技において、競技者が受ける抵抗としては、上述した表面摩擦抵抗以外に、形状抵抗（圧力抵抗）もある。
【００２１】
図８Ａに示しているように、体表面を流れる空気は、人体各部の最大幅部のやや後端において体表面の剥離点３０１から剥離する。剥離点３０１の後方では、逆流する渦３０２が発生し、競技者を後方に引っ張る形状抵抗となる。例えば、スピードスケート競技において、氷上滑走中に体表面を流れる空気は、頭部、肩部、腕部、脚部、後背部後方に沿って流れるが、上述したように体各部の最大幅部のやや後端において体表面から剥離し、競技者の後方において逆流する渦となる。この渦は、競技者を後方に引っ張る力を発生させるから、前進する競技者の形状抵抗となる。
【００２２】
本発明のスポーツ用ウェアでは、スピードスケート競技における氷上滑走中などのように運動時の前傾姿勢時に空気が主に流れる肩部において、脊柱と僧帽筋部の肩後方部を覆う領域に強緊締部Ａを配置している。また、本発明のスポーツ用ウェアでは、スピードスケート競技における氷上滑走中などのように運動時の前傾姿勢時に空気が主に流れる頭部、脚部、後背部後方において、頭頂部から後頭部まで覆う領域と、大腿部の腸脛靱帯を覆う領域と、下腿部前部を覆う領域にも強緊締部Ａを配置している。このスポーツ用ウェアを着用すると、生地が伸長することで、強緊締部Ａにおける伸縮性生地の間に存在している樹脂（柄）が表生地表面に浮き出て、表生地表面が粗面になり、体表面を流れる空気の剥離位置を後方にずらすことができ、空気抵抗（形状抵抗）を低減できる。伸長によって伸縮性生地の厚みが薄くなるが、樹脂の厚みは殆んど変わらないため、表生地表面に凹凸が出現し、粗面となる。図８Ｂに示すように、剥離点３０１のやや前方に、粗面（突起）３０３を形成すると、該突起にぶつかった空気が乱流となり、剥離しようとした空気に乱れを起こさせるため、かえって、空気の剥離点３０１が後方にずれるということが起き、発生する渦３０２がそれだけ小さくなり、その結果、競技者を後方に引っ張る形状抵抗は減少するのである。
【００２３】
また、空気抵抗（流体抵抗）を受けるスピード系競技において、競技者が受けるその他の抵抗としては、衣服内部に空気（流体）が進入し、それが衣服内で滞留するためパラシュートのようになることに起因する抵抗がある。そのために、このような抵抗を小さくするためには、衣服の形状や材料に配慮して、例えば、後述するように、流体進入防止部を設けて衣服内へ空気（流体）の進入を防ぐことも大事である。
【００２４】
本発明のスポーツ用ウェアが、タイツタイプのスポーツ用ウェア又は全身スーツタイプのスポーツ用ウェアの場合、強緊締部Ａは、さらに臀部の大殿筋、大腿部の半腱様筋、半膜様筋及び大腿二頭筋を覆う領域にも配置されている（以下において、強緊締部Ａ５とも記す。）ことが好ましい。
【００２５】
強緊締部Ａにおいて、樹脂の面積は、生地の面積に対して１０〜９０％であることが好ましく、より好ましくは３０〜７０％である。強緊締部Ａを構成する強緊締素材において、樹脂の塗布パターンは特に限定されないが、より空気抵抗を低減できるという観点から、突起群を形成しやすいドット模様であることが好ましい。ドットの形状は、特に限定されず、例えば円柱状、半円球状、四角柱状、三角柱状、円錐状、四角錘状、三角錐状等、任意の形状にすることができる。円柱状、半円球状及び円錐状突起の底面の直径又は四角柱状、三角柱状、四角錘状及び三角錘状突起の底面の一辺の長さは０．３〜５．０ｍｍの範囲であることが好適である。強緊締部Ａ５は、スピード系競技における前傾姿勢時の空気抵抗とはあんまり関係がないので、樹脂は、突起群を形成しなくてもよい。強緊締部Ａの全て又は一部において樹脂はドット模様で配置されていてもよい。また、強緊締部Ａの全て又は一部において樹脂はストライプ模様で配置されていてもよい。例えば、強緊締部Ａ１〜Ａ４では、樹脂がドット模様で存在していることが好ましく、強緊締部Ａ５にいては、ストライブ模様で存在していてもよい。
【００２６】
また、例えば図１１Ａ〜１１Ｂに示しているように、強緊締部Ａ１〜Ａ５において、樹脂の面積は異なっていてもよい。また、例えば、図９〜１０に示しているように、強緊締部Ａ１〜Ａ５において、樹脂の塗布パターンは異なっていてもよい。樹脂の面積や塗布パターンによって、緊締力が異なることになる。
【００２７】
上記樹脂としては、特に限定されないが、シリコーン、ポリウレタン、ポリ塩化ビニル、ナイロン、ポリエステル、ポリエチレン、ポリプロピレン等の合成樹脂を用いることができる。上記樹脂の塗布方法としては、特に限定されないが、シルクスクリーン印刷等の手法を用いることができる。その製法としては、所定の樹脂パターンが得られるように作製したシルクスクリーン版を生地上に置き、合成樹脂を版上に伸ばすことにより、生地上に所定の樹脂パターンを形成する。
【００２８】
上記スポーツ用ウェアを着用すると、生地が伸長することで、強緊締部Ａにおいて、表生地と裏生地との間に介在させた樹脂が表生地表面に浮き出て表生地表面が粗面になる。この現象は、強緊締部Ａを幅方向と長さ方向の両方向に所定の割合で伸ばした時の表生地表面の凹凸差を測定することで確認できる。すなわち、着用した時の生地の伸長の程度から、幅方向と長さ方向の両方向に所定の割合で伸ばすことで再現することができる。
【００２９】
強緊締部Ａにおいて、表生地表面の凹凸差は０〜０．０９ｍｍであることが好ましく、より好ましくは０〜０．０６ｍｍである。そして、強緊締部Ａ（強緊締部を構成する強緊締素材）を幅方向２５％、長さ方向２５％伸ばした時、強緊締部Ａにおける表生地表面（ベース生地表面）の凹凸差は０．１〜１ｍｍであることが好ましく、より好ましくは０．１５〜０．８５ｍｍである。上記範囲であると、スポーツ用ウェアを着用した時、生地が伸長することで、表生地表面が粗面になりやすく、空気抵抗がより低減される。強緊締部Ａにおける表生地表面の凹凸差は、デジタルマイクロスコープ（ＶＨＸ−１０００、キーエンス社製）及び生地固定冶具（ＦＸ３３２０−ＦＳＤ  ＦＩＮＡ  Ｓｔｒｅｔｃｈｉｎｇ  Ｄｅｖｉｃｅ、ＴＥＸＴＥＳＴ  ＩＮＳＴＲＵＭＥＮＴＳ社製）を用い、試料生地の大きさは、巾を１６ｃｍ、長さを１６ｃｍとし、つかみ間隔を幅方向、長さ方向とも１２ｃｍとして測定することができる。同様に、強緊締部Ａを幅方向２５％、長さ方向２５％伸ばした時、強緊締部Ａにおける表生地表面の凹凸差は、デジタルマイクロスコープ（ＶＨＸ−１０００、キーエンス社製）及び生地固定冶具（ＦＸ３３２０−ＦＳＤ  ＦＩＮＡ  Ｓｔｒｅｔｃｈｉｎｇ  Ｄｅｖｉｃｅ、ＴＥＸＴＥＳＴ  ＩＮＳＴＲＵＭＥＮＴＳ社製）を用い、試料生地の大きさは、巾を１６ｃｍ、長さを１６ｃｍとし、つかみ間隔を幅方向、長さ方向とも１２ｃｍとし、幅方向２５％、長さ方向２５％伸ばして測定することができる。
【００３０】
上記スポーツ用ウェアは、タイツタイプのスポーツ用ウェア又は全身スーツタイプのスポーツ用ウェアの場合、さらに強緊締部Ｂを有し、強緊締部Ｂは、大腿直筋を覆う領域に配置されていることが好ましい。これらの領域に強緊締部を配置することにより、運動時の姿勢の保持が容易となる。例えば、上記スポーツ用ウェアがスピードスケート用スーツの場合は、スケーティング時に姿勢の保持が容易となり、副次的に氷をけりやすくなるため、競技力の向上につながる。
【００３１】
上記スポーツ用ウェアは、シャツタイプのスポーツ用ウェア又は全身スーツタイプのスポーツ用ウェアの場合、さらに強緊締部Ｃを有し、強緊締部Ｃは、前額部を覆う領域と、大胸筋、腹直筋及び外腹斜筋を覆う領域と、上腕二頭筋の長頭を覆う領域と、手首から手の甲の一部と掌の一部を通り親指の付け根までを覆う領域に配置されていることが好ましい。これらの領域に強緊締部Ｃを配置することにより、流体の進入を抑え、その流体が衣服内で滞留してパラシュートのようにならないようにする。すなわち、強緊締部Ｃは、前方から投影された部分のほとんどの領域に配置されており、流体進入防止部として機能する。
【００３２】
上記スポーツ用ウェアにおいて、強緊締部Ａ、強緊締部Ｂ及び強緊締部Ｃ（以下において、流体進入防止部とも記す。）を除く部分には、弱緊締素材で構成された弱緊締部が配置されている。なお、強緊締部Ｂは、強緊締部Ｃと同様の素材で構成されていてもよい。
【００３３】
本発明のスポーツ用ウェアが全身スーツタイプのスポーツ用ウェアの場合、頭部から、背部、腰部、臀部、大腿後部にかけて、強緊締部Ａと、強緊締部Ａと連続している弱緊締部を配置しているため、例えば、スケーティングの際には、股関節、膝関節を曲げて前傾し、顔を上げた姿勢をとった際には、強緊締部Ａが伸張して各部位の筋肉の収縮を補助するために、姿勢の保持が容易になる。また、側背部、内股部、膝頭部、膝裏部を覆う領域には弱緊締部を配置しているため、動きやすさが確保されている。さらに、副次的にスケーティング時に氷をける動作に対して補助する効果も得られる。これは、臀部から大腿部後部に配置された強緊締部が、股関節伸展動作と同期して収縮すると同時にその際伸張する部位である内股部に配置された弱緊締部がその動作を妨げないためである。これらのことから、スケーティング時に姿勢の保持が容易となり、副次的に氷をけりやすくなるため、競技力の向上につながる。
【００３４】
本発明において、縦伸長率は、テンシロン万能型引張試験機（ＵＴＭ−III−２００、東洋ボールドウイン社製）を用い、試料生地の大きさは、巾を５ｃｍ、長さを３０ｃｍとし、つかみ間隔を２０ｃｍ（Ｌ０）とし、２０ｃｍ／分の引張強度で長さ方向に引っ張った後の所定の荷重における試料生地の長さをＬ１とした場合、下記式で算出したものである。
縦伸長率（％）＝[（Ｌ１−Ｌ０）／Ｌ０]×１００
【００３５】
本発明において、横伸長率は、テンシロン万能型引張試験機（ＵＴＭ−III−２００、東洋ボールドウイン社製）を用い、試料生地の大きさは、巾を３０ｃｍ、長さを５ｃｍとし、つかみ間隔を２０ｃｍ（Ｗ０）とし、２０ｃｍ／分の引張強度で巾方向に引っ張った後の所定の荷重における試料生地の巾をＷ１とした場合、下記式で算出したものである。
横伸長率（％）＝[（Ｗ１−Ｗ０）／Ｗ０]×１００
【００３６】
上記弱緊締部を構成する弱緊締素材は、４．９Ｎの荷重をかけた際の縦伸長率が５０％以上であり、且つ１７．６Ｎの荷重をかけた際の縦伸長率が１００％以上であることが好ましく、より好ましくは４．９Ｎの荷重をかけた際の縦伸長率が６０％以上であり、且つ１７．６Ｎの荷重をかけた際の縦伸長率が１４０％以上である。また、上記弱緊締素材は、４．９Ｎの荷重をかけた際の横伸長率が３０％以上であり、且つ１７．６Ｎの荷重をかけた際の横伸長率が８０％以上であることが好ましく、より好ましくは、４．９Ｎの荷重をかけた際の横伸長率が４０％以上であり、且つ１７．６Ｎの荷重をかけた際の横伸長率が９０％以上である。弱緊締素材の縦伸長率及び横伸長率が上記の範囲内であれば、運動機能、詳細には運動器の機能を阻害せず、動きやすくなる。
【００３７】
上記強緊締部を構成する強緊締素材は、４．９Ｎの荷重をかけた際の縦伸長率が６０％未満であり、且つ１７．６Ｎの荷重をかけた際の縦伸長率が５％以上１００％未満であることが好ましく、より好ましくは４．９Ｎの荷重をかけた際の縦伸長率が４０％以上６０％未満であり、且つ１７．６Ｎの荷重をかけた際の縦伸長率が９０％以上１００％未満である。また、上記強緊締素材は、４．９Ｎの荷重をかけた際の横伸長率が６０％未満であり、且つ１７．６Ｎの荷重をかけた際の横伸長率が５％以上８０％未満であることが好ましく、より好ましくは４．９Ｎの荷重をかけた際の横伸長率が０〜４０％であり、且つ１７．６Ｎの荷重をかけた際の横伸長率が１０％以上８０％未満である。強緊締素材の縦伸長率及び横伸長率が上記の範囲内であれば、姿勢及び動作などをサポートし、運動機能、詳細には運動器の機能を向上させる。
【００３８】
上記強緊締部Ｃ（強緊締部Ｃを構成する強緊締素材）は、流体を空気とし、ＪＩＳ  Ｌ  １０９６  通気性Ａ法（フラジール法）の試験に準じて測定した際、通気度が１０ｃｃ／ｃｍ2／ｓｅｃ未満であり、好ましくは１ｃｃ／ｃｍ2／ｓｅｃ未満である。
【００３９】
上記伸縮性生地としては、特に限定されないが、伸縮性に優れるという観点から、経方向と緯方向の二方向に伸縮する生地（以下において、２ウェイストレッチ生地とも記す。）であることが好ましく、経方向と緯方向の二方向に伸縮する編物（以下において、２ウェイストレッチ編物とも記す。）及び経方向と緯方向の二方向に伸縮する織物（以下において、２ウェイストレッチ織物とも記す。）からなる群から選ばれる少なくとも一種の生地であることがより好ましい。
【００４０】
上記２ウェイストレッチ生地は、ポリエステル繊維糸と弾性糸を合計で８０質量％以上含んでもよく、ナイロン繊維糸と弾性糸を合計で８０質量％以上含んでもよい。ポリエステル繊維糸を用いた場合は、汗をかいても乾き易い。ナイロン繊維糸を用いた場合は、軟らかなタッチの生地となる。上記弾性糸は、特に限定されないが、例えばポリウレタン系弾性糸及びポリエステル系弾性糸からなる群から選ばれる少なくとも一種であることが好ましい。ストレッチ性が高く、スポーツ衣料に適しているからである。上記弾性糸は、ベアヤーン（裸糸）又は表面にポリエステル繊維若しくはナイロン繊維が被覆されたカバーリングヤーンのどちらでもよい。
【００４１】
上記織物の組織としては、特に限定されず、例えば一般的に良く知られている平織、斜文織、朱子織の３原組織の他、変化織であってもよい。
【００４２】
上記編物の組織は、特に限定されず、どのようなものであってもよい。編物として一般的に良く知られているラッセル経編機によって編成される編物、トリコット経編機によって編成される編物及びニット緯編み機によって編成される編物等であってもよい。例えば、トリコット経編機によって編成されるハーフトリコット組織の編物やラッセル経編機によって編成されるパワーネット組織の編物等を挙げることができる。具体的な編物の組織としては、天竺、鹿の子組織等の丸編シングル編組織、スムース、リブ組織等の丸編ダブル編組織を挙げることができる。
【００４３】
シングル編組織は、表面を編成する編み針しか配されておらず、基本的には１層の編物しか編成できないが、１つの給糸口から表面を構成する糸、裏面を構成する糸を編機に給糸することで表面と裏面を異なる糸で構成することも可能である。例えば、天竺組織で表面にポリエステル繊維糸、裏面にポリウレタン弾性糸を配するといわゆるストレッチ天竺（ベア天竺）を編成することができる。ダブル編組織は、表面を編成する編み針と裏面を編成する編み針の両方が編機に配されているので表面と裏面の２層の編物を編成でき、それぞれの編組織を変えることができる。例えば、表面に綿糸、裏面にポリエステル糸をメッシュ調に、表面、裏面をつなぐ糸にポリウレタンのポリエステルカバーリング糸を配すると、表プレーン裏メッシュの発汗時も肌にべたつきにくい編組織の生地を編成することができる。
【００４４】
また、立体編み機と呼ばれる丸編み機を用いる場合は、イタリアのロナティ社（ＬＯＮＡＴＩ）製のＬシリーズ、サントニー社（ＳＡＮＴＯＮＩ）のＳＭシリーズ等が挙げられる。これらの丸編機はコンピュータ制御もしくは機械的制御で編み針の動きを制御することが可能で、任意の箇所を任意の編組織、任意の糸で編成することが可能である。よって、強緊締素材と弱緊締素材をシームレスで連結して生地を構成することが可能である。強緊締素材を構成するためには、“カットボス”と呼ばれる手法を用いて、ストレッチ性の低い糸やハイパワーの糸を編み生地に挿入し、任意の箇所を強緊締素材とすることができる。また、任意の箇所の編条件を変えて立体的に膨らませた状態で編成することも可能であるので競技者の体型に合った立体的な編地を構成することが可能である。
【００４５】
上記伸縮性生地をそのまま弱緊締素材として用いればよい。
【００４６】
強緊締部Ａを構成する強緊締素材は、上述したとおり、ベース生地となる伸縮性生地の所定の部分に樹脂を介在させ（塗布し）、樹脂を介在させた（塗布した）部分にさらに伸縮性生地を重ねて接着した強緊締素材（三層）を用いる。すなわち強緊締部Ａは伸縮性生地の間に樹脂を介在させて形成した強緊締素材で構成する。
【００４７】
強緊締部Ｂを構成する強緊締素材は、例えば以下のように製造したものを用いることができる。
（１）弱緊締素材に比べて、弾性糸の構成比率を高くして製造する。
（２）弱緊締素材に比べて、弾性糸の繊度を太くして製造する。
（３）弱緊締素材に比べて、織物の場合は経糸及び／又は緯糸密度を高くし、編み物の場合は編み密度を高くして製造する。
（４）弱緊締素材に比べて、弾性糸の張力を高くして製造する。
（５）弱緊締素材に比べて、生地の厚さを厚くして製造する。
（６）伸縮性のある生地同士をラミネート加工して二層にした二層ラミネート生地にして製造する。
（７）伸縮性生地にポリウレタン樹脂製シートなどの樹脂製シートを接着して製造する。接着は、接着剤例えばウレタン系接着剤を用い、ラミネート加工することで行うことができる。上記樹脂製シートに緊締力の差を持たせれば、強緊締素材及び弱緊締素材とも樹脂製シートを使用することも可能である。同一のポリウレタン樹脂製シート等の樹脂製シートを使用する場合はラミネートする生地の緊締力を「強弱」と変えることでラミネート生地に「強弱」の緊締力を持たせることが可能である。
（８）伸縮性のあるポリウレタン樹脂製シートを伸縮性生地ではさみ込みラミネート加工して三層ラミネート生地として製造する。上記樹脂製シートに緊締力の差を持たせれば、強緊締素材及び弱緊締素材とも樹脂製シートを使用することも可能である。同一のポリウレタン樹脂製シート等の樹脂製シートを使用する場合はラミネートする生地の緊締力を「強弱」と変えることでラミネート生地に「強弱」の緊締力を持たせることが可能である。
（９）伸縮性生地の上に、ポリウレタン等の樹脂を塗布して製造する。同一の樹脂を使用する場合は、樹脂の塗布面積の割合を変えることで、塗布された生地に「強弱」の緊締力を持たせることが可能である。
（１０）伸縮性生地の上に、ポリウレタン等の樹脂を塗布して、さらに伸縮性のある生地を重ねて三層にして製造する。同一の樹脂を使用する場合は、樹脂の塗布面積の割合を変えることで、塗布された生地に「強弱」の緊締力を持たせることが可能である。
（１１）単純に伸縮性のあるニットを複数枚重ねて使用することも可能である。
【００４８】
強緊締部Ｃを構成する強緊締素材は、特に限定されないが、通気度を下げるために、上記強緊締部Ｂを構成する強緊締素材の製造方法で挙げている（６）〜（１０）のいずれかの製造方法で製造した強緊締素材（流体進入防止部材）を用いることが好ましい。なお、強緊締部Ｂは、強緊締部Ｃと同様の素材で構成されていても良い。
【００４９】
上記（９）の伸縮性生地の上に、ポリウレタン等の樹脂を塗布して製造した生地や、上記（１０）の伸縮性生地の上に、ポリウレタン等の樹脂を塗布して、さらに伸縮性のある生地を重ねて三層にして製造した生地は、同一の樹脂を使用する場合は、樹脂の塗布面積の割合を変えることで、塗布された生地に「強弱」の緊締力を持たせることが可能であり、或いは部分的に樹脂を塗布する割合を変えることにより、部分的に強緊締部と弱緊締部が分けることも可能である。
【００５０】
強緊締素材及び弱緊締素材における「強弱」の緊締力は、一定荷重時の伸長率の大小で確認することができる。すなわち、荷重が一定の場合、伸長率が大きいほど緊締力が弱いことになる。
【００５１】
本発明のスポーツ用ウェアでは、ウェアを構成する各部材は、縫製によって一体化することが好ましい（但し、緯編物の場合は一体編成することもできる。）。縫製方法としては、本縫い、環縫い、１本針オーバーロック、２本針オーバーロック、フラットシーマ等の縫目を形成するミシンで縫着する方法が挙げられるが、縫目の種類は特にこれらに限定されるものではない。ただ、縫目もストレッチ性を有し、着用時の違和感を低減できる１本針オーバーロック、２本針オーバーロック、フラットシーマを採用するのが望ましい。
【００５２】
また縫製に限らず接着によって、各部材を一体化することも可能である。接着方法としては、一体化したい二種類の部材にのりしろを設け、熱によって融解し、冷却後には生地に浸透して凝固するポリウレタン製の熱融解性のシームテープをのりしろの生地の間にはさみ、熱プレスすることで生地を接着できる熱圧着法が挙げられるが、縫着同様、のりしろにストレッチ性をもたせ、着用時の違和感をなくすことが望ましい。
【００５３】
上述の縫製方法と接着方法は複数の方法を組み合わせて用いることも可能である。また、立体編みを用いた生地は、生地が編成された時点で筒状になっているので、それらを任意形状に裁断し、上述した手法で縫着又は接着することで本発明のスポーツ用ウェアを構成することが可能である。
【実施例】
【００５４】
以下実施例を用いてさらに具体的に説明する。なお、本発明は下記の実施例に限定されるものではない。
【００５５】
（実施例１）
本発明の実施例１のスポーツ用ウェアを図１〜図３に基づいて説明する。図１は、実施例１のスポーツ用ウェアの正面図、図２は同背面図、図３は同右身展開図である。図１〜３に示しているように、本実施例のスポーツ用ウェア１００は、フード本体１、フード前部２、フード後部３、フードガク４、前身頃５、後身頃６、前袖一７、前袖二８、後袖９、袖口１０、前パンツ上部１１、前パンツ下部１２、後パンツ１３、及び裾カフス１４の各部材で構成され、各部材は縫着により一体化された。縫着には２本針オーバーロックミシンを使用した。
【００５６】
フード後部３、後身頃６、前パンツ下部１２、後パンツ１３は、伸縮性生地Iの上に、カーボネート系ポリウレタン樹脂を部分的に塗布して、ポリウレタン樹脂を塗布した部分にはさらに伸縮性生地を重ねて接着することで、弱緊締素材と強緊締素材を含むように形成されている生地で構成されていた。具体的には、フード後部３は、フード後部強緊締部３１とフード後部弱緊締部３２で構成された。後身頃６は、後身頃強緊締部６１と後身頃弱緊締部６２で構成された。前パンツ下部１２は、前パンツ下部強緊締部１２１と前パンツ下部弱緊締部１２２で構成されていた。後パンツ１３は、後パンツ強緊締部１３１と後パンツ弱緊締部１３２で構成された。なお、後パンツ強緊締部１３１は、後パンツ強緊締部１３１ａと後パンツ強緊締部１３１ｂで構成されていた。
【００５７】
伸縮性生地Iとして、ゲージ数２８Ｇのトリコット編機を用いて、繊度が５６ｄｔｅｘ(デシテックス)のポリエステルフィラメント糸と、繊度が４４ｄｔｅｘのポリウレタンベアヤーンを交編したハーフトリコット編組織の生地を用いた。伸縮性生地Iにおける繊維の混率はポリエステル繊維８０質量％、ポリウレタン繊維２０質量％であった。伸縮性生地Iの荷重４．９Ｎ時の縦伸長率は１００％であり、荷重１７．６Ｎ時の縦伸長率は１７６％であった。また、伸縮性生地Iの荷重４．９Ｎ時の横伸長率は７８％であり、荷重１７．６Ｎ時の横伸長率は１３２％であった。
【００５８】
伸縮性生地Iの所定箇所に、ポリウレタン樹脂４０１を、図９に示しているように、直径２mmの円柄で、樹脂面積が生地面積に対して３０％になるように塗布し、その上にさらに伸縮性生地Iを重ねてラミネートして強緊締素材Iを形成した。強緊締素材Iの荷重４．９Ｎ時の縦伸長率は３３％であり、荷重１７．６Ｎ時の縦伸長率は７７％であった。また、強緊締素材Iの荷重４．９Ｎ時の横伸長率は２８％であり、荷重１７．６Ｎ時の横伸長率は７６％であった。また、強緊締素材Iにおいて、表生地表面の凹凸差は０．０４ｍｍであり、幅方向２５％、長さ方向２５％伸ばした時の強緊締素材Iの表生地表面の凹凸差は０．２１ｍｍであった。強緊締素材Iは、後身頃強緊締部６１（強緊締部Ａ１）、後パンツ強緊締部１３１ｂ（強緊締部Ａ２）、フード後部強緊締部３１（強緊締部Ａ３）、前パンツ下部強緊締部１２１（強緊締部Ａ４）を構成した。すなわち、強緊締素材Iで構成されている強緊締部Ａ１〜Ａ４が、それぞれ、脊柱と僧帽筋部の肩後方部、大腿部の腸脛靱帯、着用者の頭頂部から後頭部、下腿部前部を覆う領域に配置された。
【００５９】
また、伸縮性生地Ｉの所定箇所に、ポリウレタン樹脂４０１を、図１０に示しているように、樹脂部分が縦方向５０ｍｍ、幅方向７ｍｍ、縦方向に間隔４ｍｍの断続的なストライプを幅方向で間隔３ｍｍごとに縦方向に２５ｍｍずつずらしながら配置し、樹脂面積が生地面積に対して６５．８％になるように塗布し、その上にさらに伸縮性生地Ｉを重ねてラミネートして強緊締素材IIを形成した。強緊締素材IIの荷重４．９Ｎ時の縦伸長率は２％であり、荷重１７．６Ｎ時の縦伸長率は８％であった。また、強緊締素材IIの荷重４．９Ｎ時の横伸長率は１７％であり、荷重１７．６Ｎ時の横伸長率は３４％であった。強緊締素材IIは、後パンツ強緊締部１３１ａを構成した。すなわち、強緊締素材IIで構成された強緊締部Ａ５は、着用者の臀部の大殿筋、大腿部の半腱様筋、半膜様筋及び大腿二頭筋を覆う領域に配置された。
【００６０】
伸縮性生地Iにおいて、ポリウレタン樹脂が塗布されていない箇所は、弱緊締素材に該当し、フード後部弱緊締部３２、後身頃弱緊締部６２、前パンツ下部弱緊締部１２２、後パンツ弱緊締部１３２を構成していた。すなわち、図１〜３に示しているように、実施例１のスポーツ用ウェアにおいて、フード後部強緊締部３１とフード後部弱緊締部３２は連続しており、後身頃強緊締部６１と後身頃弱緊締部６２は連続しており、前パンツ下部強緊締部１２１と前パンツ下部弱緊締部１２２は連続しており、後パンツ強緊締部１３１（後パンツ強緊締部１３１ａ及び後パンツ強緊締部１３１ｂ）と後パンツ弱緊締部１３２は連続していた。
【００６１】
フード前部２、前身頃５、前袖二８、袖口１０、前パンツ上部１１は、伸縮性生地II（強緊締素材かつ流体進入防止部材）で構成されていた。すなわち、伸縮性生地IIで構成された強緊締部Ｂが大腿直筋を覆う領域に配置され、伸縮性生地IIで構成された強緊締部Ｃが、着用者の前額部、大胸筋、腹直筋、外腹斜筋、上腕二頭筋の長頭、手首から手の甲の一部と掌の一部を通り親指の付け根を領域に配置されている。
【００６２】
伸縮性生地IIとして、ゲージ数２８Ｇのラッセル編機を用いて、繊度が５６ｄｔｅｘのナイロンフィラメント糸と、繊度が４４ｄｔｅｘと４７０ｄｔｅｘのポリウレタンベアヤーンを交編したトリコット編組織の生地を基布として、この基布に厚み６０μｍのエステル系ポリウレタン樹脂製のシートをエーテル系ポリウレタン接着剤で接着した２層のラミネート生地を用いた。基布における繊維の混率はナイロン繊維６５質量％、ポリウレタン繊維３５質量％であった。伸縮性生地II（強緊締素材）の荷重４．９Ｎ時の縦伸長率は４％であり、荷重１７．６Ｎ時の縦伸長率は５９％であった。また、伸縮性生地IIの荷重４．９Ｎ時の横伸長率は６％であり、荷重１７．６Ｎ時の横伸長率は５３％であった。また、伸縮性生地IIのＪＩＳ  Ｌ  １０９６  通気性Ａ法（フラジール法）の試験に準じて測定した通気度は０ｃｃ／ｃｍ2／ｓｅｃであった。
【００６３】
フード本体１、フードガク４、前袖一７、後袖９、裾カフス１４は、伸縮性生地I（弱緊締素材）で構成されていた。
【００６４】
本実施例においては「ほぼ密着」の状態を作るため、人体の裸のサイズに対して、周囲方向は８０％、丈は９０〜９５％を目安に作製した。
【００６５】
（実施例２）
伸縮性生地IIを作製する際に、厚み６０μｍのエステル系ポリウレタン樹脂製のシートに替えて、厚み７５μｍのエステル系ポリウレタン樹脂製のシートを用いた以外は、実施例１と同様にして、スポーツ用ウェアを作製した。
【００６６】
（比較例１）
比較例１のスポーツ用ウェアを図４〜図５に基づいて説明する。図４は、比較例１のスポーツ用ウェアの正面図、図５は同背面図である。図４及び５に示しているように、比較例１のスポーツ用ウェア２００は、フード本体２０１、フード前部２０２、フード後部２０３、フードガク２０４、前身頃胸上部２０５、前身頃胸下部２０６、前身頃腹筋部２０７、下腹部２０８、後身頃上部２０９、後身頃中心部２１０、後身頃側部２１１、肩部２１２、袖一２１３、袖二２１４、袖三２１５、袖四２１６、袖五２１７、脇腰部２１８、前パンツ上部２１９、内股部２２０、前パンツ下部中心部２２１、前パンツ下部脇部２２２、後パンツ上部２２３、後パンツ下部内股部２２４及び後パンツ下部脇部２２５の各部材で構成され、各部材は縫着により一体化される。縫着には２本針オーバーロックミシンを使用した。
【００６７】
比較例１のスポーツ用ウェア２００において、フード前部２０２、前身頃胸上部２０５、前身頃腹筋部２０７、後身頃中心部２１０、肩部２１２、袖二２１４、袖四２１６、前パンツ上部２１９、後パンツ上部２２３は、上述した伸縮性生地II（強緊締素材かつ流体進入防止部材）で構成されていた。
【００６８】
比較例１のスポーツ用ウェア２００において、フード本体２０１、フードガク２０４、前身頃胸下部２０６、後身頃側部２１１、下腹部２０８、袖一２１３、袖三２１５、袖五２１７、脇腰部２１８、内股部２２０、前パンツ下部中心部２２１、後パンツ下部内股部２２４、後パンツ下部脇部２２５は上述した伸縮性生地Ｉ（弱緊締素材）で構成されていた。
【００６９】
比較例１のスポーツ用ウェア２００において、フード後部２０３、後身頃上部２０９、前パンツ下部脇部２２２は、伸縮性生地Ｉに、金型でメッシュ状に成型したポリウレタン樹脂を熱プレスで含浸させて得られた伸縮性生地（強緊締素材III）で形成されている。強緊締素材IIIの荷重４．９Ｎ時の縦伸長率は２６％であり、荷重１７．６Ｎ時の縦伸長率は９５％であった。また、強緊締素材IIIの荷重４．９Ｎ時の横伸長率は９％であり、荷重１７．６Ｎ時の横伸長率は５４％であった。
【００７０】
実施例１〜２及び比較例１のスポーツ用ウェアを用い、下記のように風洞実験Iを行い、その結果を図６に示した。
【００７１】
（風洞実験I）
図７に示した姿勢（スピード系競技時の前傾姿勢）の人形を風洞に固定し、８〜２０ｍ／ｓ風速の風を固定した上記人形に当てて、抵抗値を測定した。具体的には、スポーツ用ウェアを着用していない人形の抵抗測定から開始し、その後、スポーツ用ウェアを着用させ、同様に抵抗値の測定を行った。
【００７２】
図６の結果から分かるように、風速が１１ｍ／ｓ以上の場合、実施例のスポーツ用ウェアを着用した方が、抵抗値が低く、空気抵抗が低減されていた。
【００７３】
実施例１〜２の全身スーツタイプのスポーツ用ウェアは、例えば流体（空気）抵抗低減用であり、特にスピードスケート用スーツとして好適である。本実施例のスポーツ用ウェアでは、前方から投影された部分のほとんどを伸縮性生地に伸縮性ポリウレタン樹脂製シートをウレタン系接着剤でラミネート加工して二層にした生地で構成することで、風の進入を抑え、伸縮性生地の間に樹脂を塗布しており、樹脂の柄が直径２ｍｍの円で樹脂面積が生地面積に対して３０％である強緊締素材で構成された強緊締部Ａを、着用者の頭頂部、僧帽筋部の肩後方部、大腿部の腸脛靱帯、下腿部前部を覆う領域に配置することにより、着用時に、伸縮性生地が伸長することで、伸縮性生地と伸縮性生地の間に塗布した樹脂柄が表生地表面に突起として浮き出て、表生地表面が粗面になり、突起にぶつかった空気が乱流となり、剥離しようとした空気に乱れをおこさせるため、空気の剥離点が後方にずれた。その結果競技者を後方に引っ張る形状抵抗は減少した。
【００７４】
また、前身頃５と後身頃６を縫着する肩線２０、前パンツ上部１１と後パンツ１３を縫着するパンツ上部脇線２１、フード前部２とフード後部３を縫着する縫着線、前袖一７と前袖二８を縫着する縫着線、前袖二８と後袖９を縫着する縫着線は、突起となり、突起にぶつかった空気が乱流となり、剥離しようとした空気に乱れをおこさせるため、空気の剥離点が後方にずれた。その結果競技者を後方に引っ張る形状抵抗は減少した。
【００７５】
また、フード後部３、後身頃６、前パンツ下部１２、後パンツ１３は、伸縮性生地の上に、ポリウレタン樹脂を部分的に塗布し、ポリウレタン樹脂を塗布した部分にはさらに伸縮性生地を重ねて接着することで、弱緊締素材と強緊締素材を含むように形成されている生地で構成されていた。具体的には、フード後部３は、フード後部強緊締部３１とそれと連続しているフード後部弱緊締部３２で構成された。後身頃６は、後身頃強緊締部６１とそれと連続している後身頃弱緊締部６２で構成された。前パンツ下部１２は、前パンツ下部強緊締部１２１とそれと連続している前パンツ下部弱緊締部１２２で構成されていた。後パンツ１３は、後パンツ強緊締部１３１（後パンツ強緊締部１３１ａと後パンツ強緊締部１３１ｂ）とそれと連続している後パンツ弱緊締部１３２で構成された。よって、従来のスピード系競技のスポーツ用ウェアのような強緊締素材と弱緊締素材が各部に分かれ、縫着により一体化するために、表面摩擦抵抗を増大させる箇所に縫着線をつける必要はなくなった。縫着線が少ないことにより、製造工程である裁断や縫製が簡略し工程が削減され、それにともなう製造工程で発生する消費電力も削減できた。
【００７６】
また、頭部から、背部、腰部、臀部、大腿後部にかけて、強緊締部Ａと、強緊締部Ａと連続している弱緊締部を配置しているため、例えば、スケーティングの際には、股関節、膝関節を曲げて前傾し、顔を上げた姿勢をとった際、強緊締部Ａが伸張して各部位の筋肉の収縮を補助するので、姿勢の保持が容易になった。また、側背部、内股部、膝頭部、膝裏部を覆う領域には弱緊締部を配置しているため、動きやすさが確保されていた。さらに、副次的にスケーティング時に氷をける動作に対して補助する効果も得られた。これは、臀部から大腿部後部に配置された強緊締部Ａが、股関節伸展動作と同期して収縮すると同時にその際伸張する部位である内股部に配置された弱緊締部がその動作を妨げないためである。これらのことから、スケーティング時に姿勢の保持が容易となり、副次的に氷をけりやすくなるため、競技力の向上につながる。
【００７７】
比較例１のスポーツ用ウェアは強緊締素材と弱緊締素材の各部材は縫着により一体化されており、縫着線が多かった。一部の縫着線は突起となり、突起にぶつかった空気が乱流となり、剥離しようとした空気に乱れをおこさせるため、空気の剥離点が後方にずれ、その結果競技者を後方に引っ張る形状抵抗は減少させていたが、大半の縫着線は表面摩擦抵抗を増大させていた。また、縫着線が多いことにより、製造工程における裁断や縫製が繁雑になっていた。
【００７８】
（実施例３）
実施例３のスポーツ用ウェアを図１２に基づいて説明する。実施例３のスポーツ用ウェアは、左脚用タイツである。図１２Ａは、実施例３のスポーツ用ウェア（左脚用タイツ）の正面図、図１２Ｂは同背面図である。図１２Ａ、図１２Ｂに示しているように、実施例３のタイツ６００は、前パンツ上部６１１、前パンツ下部６１２、後パンツ６１３、及び裾カフス６１４の各部材で構成され、各部材は縫着により一体化された。縫着には２本針オーバーロックミシンを使用した。前パンツ下部６１２は、前パンツ下部強緊締部６２１と前パンツ下部弱緊締部６２２で構成されていた。後パンツ６１３は、後パンツ強緊締部６２３と後パンツ弱緊締部６２４で構成された。後パンツ強緊締部６２３は、後パンツ強緊締部６２３ａと後パンツ強緊締部６２３ｂで構成されていた。実施例３において、前パンツ上部６１１、前パンツ下部６１２、後パンツ６１３、及び裾カフス６１４は、それぞれ、実施例１の前パンツ上部１１、前パンツ下部１２、後パンツ１３、及び裾カフス１４と同様にして作製した。
【００７９】
（比較例２）
比較例２のスポーツ用ウェアを図１３に基づいて説明する。比較例２のスポーツ用ウェアは、左脚用タイツである。図１３Ａは、比較例２のスポーツ用ウェア（左脚用タイツ）の正面図、図１３Ｂは同背面図である。図１３Ａ、図１３Ｂに示しているように、比較例２のタイツ６００は、パンツ部７０１と裾カフス７０２で構成され、縫着により一体化された。縫着には２本針オーバーロックミシンを使用した。パンツ部７０１は、脚の裏のほぼ中央線に沿って縫製した筒状であった。
【００８０】
比較例２おいて、パンツ部７０１及び裾カフス７０２は、伸縮性生地IIIで構成されていた。伸縮性生地IIIとして、ゲージ数３２Ｇのトリコット編機を用いて、繊度が５５ｄｔｅｘ(デシテックス)のポリエステルフィラメント糸と、繊度が４４ｄｔｅｘのポリウレタンベアヤーンを交編したハーフトリコット編組織の生地を用いた。伸縮性生地IIIにおける繊維の混率はポリエステル繊維８３質量％、ポリウレタン繊維１７質量％であった。伸縮性生地IIIの荷重４．９Ｎ時の縦伸長率は２８％であり、荷重１７．６Ｎ時の縦伸長率は１２２％であった。また、伸縮性生地IIIの荷重４．９Ｎ時の横伸長率は６１％であり、荷重１７．６Ｎ時の横伸長率は１０６％であった。
【００８１】
実施例３及び比較例２の左脚用タイツを用い、下記のように風洞実験IIを行い、その結果を図１５に示した。
【００８２】
（風洞実験II）
図１４に示しているように、脚型ボディーの模型を風洞に固定し、８〜２０ｍ／ｓ風速の風を固定した上記模型に当てて、抵抗値を測定した。具体的には、スポーツ用ウェア（左脚用タイツ）を着用していない脚型ボディー模型の抵抗測定から開始し、その後、左脚用タイツを着用させ、同様に抵抗値の測定を行った。
【００８３】
図１５の結果から分かるように、実施例３のスポーツ用ウェアを着用した方が、比較例２のスポーツ用ウェアを着用した場合より、抵抗値が低く、空気抵抗が低減されていた。
【符号の説明】
【００８４】
１  フード本体
２  フード前部
３  フード後部
４  フードガク
５  前身頃
６  後身頃
７  前袖一
８  前袖二
９  後袖
１０  袖口
１１、６１１  前パンツ上部
１２、６１２  前パンツ下部
１３、６１３  後パンツ
１４、６１４、７０２  裾カフス
２０  肩線
２１  パンツ上部脇線
３１  フード後部強緊締部
３２  フード後部弱緊締部
６１  後身頃強緊締部
６２  後身頃弱緊締部
１００、２００、６００、７００  スポーツ用ウェア
１２１、６２１  前パンツ下部強緊締部
１２２、６２２  前パンツ下部弱緊締部
１３１、１３１ａ、１３１ｂ、６２３、６２３ａ、６２３ｂ  後パンツ強緊締部
１３２、６２４  後パンツ弱緊締部
２０１  フード本体
２０２  フード前部
２０３  フード後部
２０４  フードガク
２０５  前身頃胸上部
２０６  前身頃胸下部
２０７  前身頃腹筋部
２０８  下腹部
２０９  後身頃上部
２１０  後身頃中心部
２１１  後身頃側部
２１２  肩部
２１３  袖一
２１４  袖二
２１５  袖三
２１６  袖四
２１７  袖五
２１８  脇腰部
２１９  前パンツ上部
２２０  内股部
２２１  前パンツ下部中心部
２２２  前パンツ下部脇部
２２３  後パンツ上部
２２４  後パンツ下部内股部
２２５  後パンツ下部脇部
３０１  剥離点
３０２  逆流する渦
３０３  粗面（突起）
４０１、５０２  樹脂
５０１、５０３  伸縮性生地
５０４  強緊締部Ａ
５０５  弱緊締部
７０１  パンツ部
【図１】
2013213306.tif 000003
【図２】
2013213306.tif 000004
【図３】
2013213306.tif 000005
【図４】
2013213306.tif 000006
【図５】
2013213306.tif 000007
【図６】
2013213306.tif 000008
【図７】
2013213306.tif 000009
【図８】
2013213306.tif 000010
【図９】
2013213306.tif 000011
【図１０】
2013213306.tif 000012
【図１１】
2013213306.tif 000013
【図１２】
2013213306.tif 000014
【図１３】
2013213306.tif 000015
【図１４】
2013213306.tif 000016
【図１５】
2013213306.tif 000017